(57)【要約】【課題】本発明は橋脚の側面に沿い配筋した縦筋の下端を橋脚を支えるフーチング内への埋設強度を高め（縦筋の引き抜き強度を高め）、更に縦筋下端を挿入するためのドリルによるフーチング内への削孔作業を容易にし、又縦筋を配筋するための縦溝の溝幅を縮小でき、削り作業の手間と工費を軽減できるコンクリート製橋脚の補強構造を提供する。【解決手段】コンクリート製フーチング２から一体に立ち上げられたコンクリート製橋脚１の側面に補強縦筋３を配筋し、該補強縦筋３の下端に傾斜曲げ部４を形成し、該傾斜曲げ部４を上記コンクリート製橋脚１の側面５と上記コンクリート製フーチング２の上面６とで形成する入隅角部７から同フーチング２内へ食い込み角αを以って斜めに埋設し、上記コンクリート製橋脚１の側面５に上記補強縦筋３を覆う補強コンクリート８を増し打ちした構造を有するコンクリート製橋脚１の補強構造。【選択図】        図７
2010150894.tif 000002
【特許請求の範囲】
【請求項１】
コンクリート製フーチングから一体に立ち上げられたコンクリート製橋脚の側面に補強縦筋を配筋し、該補強縦筋の下端に傾斜曲げ部を形成し、該傾斜曲げ部を上記コンクリート製橋脚の側面と上記コンクリート製フーチングの上面とで形成する入隅角部から同フーチング内へ食い込み角を以って斜めに埋設し、上記コンクリート製橋脚の側面に上記補強縦筋を覆う補強コンクリートを増し打ちした構造を有することを特徴とするコンクリート製橋脚の補強構造。
【請求項２】
コンクリート製フーチングから一体に立ち上げられたコンクリート製橋脚の側面に沿い縦溝を削成し、該コンクリート製橋脚の側面と上記コンクリート製フーチングの上面とで形成する入隅角部に上記縦溝下端と連通し且つ同フーチング内へ食い込み角を以って傾斜する傾斜孔を削孔し、上記縦溝内に補強縦筋を配筋すると共に、該補強縦筋の下端に形成した傾斜曲げ部を上記傾斜孔内に挿入して接着し、上記コンクリート製橋脚の側面に上記補強縦筋を覆う補強コンクリートを増し打ちすることを特徴とするコンクリート製橋脚の補強方法。
【請求項３】
上記傾斜曲げ部の食い込み角度を５度〜２０度の範囲に設定したことを特徴とする請求項１記載のコンクリート製橋脚の補強構造又は請求項２記載のコンクリート製橋脚の補強方法。
【請求項４】
上記傾斜孔に対する傾斜曲げ部の挿入長を鉄筋径の１５倍〜２５倍に設定したことを特徴とする請求項２記載のコンクリート製橋脚の補強方法。
【発明の詳細な説明】
【技術分野】
【０００１】
本発明は河川橋や陸橋等の橋梁におけるコンクリート製橋脚の補強構造と同補強方法に関する。
【背景技術】
【０００２】
コンクリート製フーチングから一体に立ち上げられたコンクリート製橋脚の耐震補強方法の一つとして、コンクリート製橋脚の側面に沿い溝幅１５ｃｍ〜２０ｃｍ、溝深さ５ｃｍ〜１０ｃｍの縦溝を削成すると共に、該縦溝の下端からフーチング内へ垂直に縦孔を削孔し（従って縦溝と縦孔は直線に連通する）、上記縦溝内に補強縦筋を配筋すると共に、該補強縦筋の下端を上記垂直縦孔内に挿入して接着し、上記コンクリート製橋脚の側面に上記補強縦筋を覆う補強コンクリートを増し打ちする、コンクリート巻き立て工法が既知である。
【発明の開示】
【発明が解決しようとする課題】
【０００３】
上記従来のコンクリート巻き立て工法においては、上記縦溝の下端に垂直に連続する縦孔を削孔作業する場合、ドリル（削岩機）と橋脚側面との干渉を避けるため、縦溝の幅を必要以上に幅広に削らねばならず、縦溝の削成手間が多く掛かり、工賃アップを招く要因となっている。
【０００４】
又縦溝の幅を幅広に削成する結果、補強縦筋の配筋本数が減殺され、補強強度を低下せしめる問題点を有している。
【０００５】
又縦溝内に配筋される補強鉄筋の下端を直棒状態で上記垂直縦孔内へ挿入し接着する構造であるから、縦筋に加わる引き抜き強度を確実に得難い問題点を有している。
【課題を解決するための手段】
【０００６】
本発明は上記問題を適切に解決するコンクリート製橋脚の補強構造と同補強方法を提供するものである。
【０００７】
本発明はその手段として、コンクリート製橋脚の側面に配筋した補強縦筋の下端に傾斜曲げ部を形成し、該傾斜曲げ部を上記コンクリート製橋脚の側面と上記コンクリート製フーチングの上面とで形成する入隅角部から同フーチング内へ食い込み角を以って斜めに埋設し、上記コンクリート製橋脚の側面に上記補強縦筋を覆う補強コンクリートを増し打ちした補強構造を提供するものである。
【０００８】
その具体的方法として、上記コンクリート製橋脚の側面に沿い縦溝を削成し、該コンクリート製橋脚の側面と上記コンクリート製フーチングの上面とで形成する入隅角部に上記縦溝下端と連通し且つ同フーチング内へ食い込み角を以って傾斜する傾斜孔を削孔し、上記縦溝内に補強縦筋を配筋すると共に、該補強縦筋の下端に形成した傾斜曲げ部を上記傾斜孔内に挿入して接着し、上記コンクリート製橋脚の側面に上記補強縦筋を覆う補強コンクリートを増し打ちする補強方法を提供するものである。
【０００９】
上記傾斜曲げ部の食い込み角度は５度〜２０度の範囲、好ましくは１３〜１６度程度の角度に設定する。
【００１０】
又上記傾斜孔に対する傾斜曲げ部の挿入長、即ち傾斜曲げ部の長さは鉄筋径の１５倍〜２５倍に設定する。
【発明の効果】
【００１１】
本発明によれば、削岩機を斜めにしてドリルを上記入隅角部内へ入れ傾斜孔を削孔することができるから、削孔作業に際しての橋脚側面との干渉を有効に防止しつつ傾斜孔を適切に削孔できる。
【００１２】
従って、外形が大なるドリル駆動操作部の軸線上にドリルが延びる削岩機の使用が可能である。
【００１３】
又削岩機との干渉を避けるために縦溝の溝幅を幅広にする必要がなく、縦溝の溝幅を補強縦筋の配筋に必要な幅に縮小でき、削り作業の手間を軽減し、工費削減を図ることができる。縦溝の溝幅を縮小できる結果、縦筋本数を増加し、補強強度の向上を図ることができる。
【発明を実施するための最良の形態】
【００１４】
以下本発明を実施するための最良の形態を図１乃至図９に基づき説明する。
【００１５】
既知のように、コンクリート製橋脚１はコンクリート製フーチング２から一体に立ち上げられており、フーチング２は橋脚１下端の周囲に張り出す張り出し部１４を有している。
【００１６】
上記橋脚１は橋幅方向に長く連続して立ち上げられたもの、又は橋幅方向に間隔を置いて立ち上げられたものが存し、その横断面形状は方形、楕円形、円形等、種々の形態のものが存在し、フーチング２もこれに応じた形状を有する。
【００１７】
本発明は上記橋脚１の耐震補強、或いは劣化補強としてコンクリート製橋脚１の側面５、例えば橋脚１の四側面に補強縦筋３を配筋し、更に上記補強縦筋３の下端に傾斜曲げ部４を形成し、該傾斜曲げ部４を上記コンクリート製橋脚１の側面５と上記コンクリート製フ
【００１８】
ーチング２の上面６とで形成する入隅角部７から同フーチング２内へ食い込み角αを以って斜めに埋設し、そして上記コンクリート製橋脚１の側面５、例えば四側面（周面）に上記補強縦筋３を覆う補強コンクリート８を増し打ちし補強構造を形成したものである。
【００１９】
以下、上記補強構造の構築方法について説明し、その具体構造例について説明する。
【００２０】
図１に示すように、コンクリート製橋脚１の対向する四側面５又は二側面５に沿い、カッターを用いて橋脚軸線と平行な二本一対の縦切り１５を複数対形成する。
【００２１】
次に図２に示すように、上記縦切り１５間のコンクリートをドリル等を用いて削去して縦溝９を削成する。
【００２２】
上記縦溝９の幅Ｗと深さＤは上記角対の縦切りの幅と深さによって設定する。具体例として縦溝９の幅Ｗを３０ｍｍ〜５０ｍｍ、深さＤを２０ｍｍ〜４０ｍｍにする。この縦溝９の寸法は従来の縦溝の寸法に比べ、大幅に縮小されている。
【００２３】
上記縦溝９の上端は橋脚１の橋座面１２に達し、同下端はフーチング２の張り出し部１４の上面に達し、該縦溝９を橋脚１の一側面５につき等間隔に複数本削成する。
【００２４】
次に図３に示すように、コンクリート製橋脚１の側面５と上記コンクリート製フーチング２の上面６とで形成する入隅角部７に上記縦溝９下端と連通し且つ同フーチング２内へ食い込み角αを以って傾斜する傾斜孔１０をドリルを用い削孔する。従って、ドリルは入隅角部７内において上記食い込み角αの延長線上に傾斜姿勢にして入れ込み、上記食い込み角αを有する傾斜孔１０を削孔する。
【００２５】
好ましい例示として上記傾斜孔１０は図３に示すように、縦溝９の深さより小径にして縦溝９の縦方向開口面と略接するように削孔する。
【００２６】
よって次に述べる縦溝９内に配筋される補強縦筋３の裏側に裏込め空間１６を形成する。即ち補強縦筋３を縦溝９の内底面から浮かし配筋し、補強縦筋３と縦溝９内底面との間に裏込め空間１６を形成する。同時に補強横筋１３と補強縦筋３の接触を得て線材による結縛を行う。
【００２７】
次に図４乃至図６に示すように、上記縦溝９内に上記補強縦筋３を配筋すると共に、補強縦筋３の外周面に接して補強横筋１３を配筋する。
【００２８】
上記補強縦筋３の下端に事前に傾斜曲げ部４を曲成しておき、上記補強縦筋３を縦溝９内に入れ込むに際し、上記傾斜曲げ部４を上記傾斜孔１０内に挿入してエポキシ樹脂等の合成樹脂系等の接着剤１１を介し傾斜曲げ部４の周面を傾斜孔１０の内周面に接着する。
【００２９】
上記傾斜孔１０内に傾斜曲げ部４を挿入し接着することによって、上記補強縦筋３の裏側の裏込め空間１６が確定される。
【００３０】
図３に示すように、上記補強縦筋３下端の傾斜曲げ部４の曲げ角と上記傾斜孔１０の傾斜角は、上記傾斜曲げ部４のフーチング２内への食い込み角αと略同一である。即ち食い込み角α≒傾斜曲げ部４の曲げ角≒傾斜孔１０の傾斜角であり、該食い込み角αと傾斜曲げ部４の曲げ角と傾斜孔１０の傾斜角を５度〜２０度の範囲、好ましくは１３度〜１６度に設定する。
【００３１】
又上記傾斜孔１０に対する傾斜曲げ部４の挿入長Ｌ、即ち傾斜曲げ部４の長さは鉄筋径の１５倍〜２５倍に設定する。具体例として、補強縦筋３としてＪＩＳ規格のＤ１０を用い、該Ｄ１０の直径の１５倍〜２５倍の長さを傾斜曲げ部４の挿入長Ｌとする。従って上記傾斜曲げ部４の長さと傾斜孔１０の深さは略同長である。
【００３２】
次に図７に示すように、上記コンクリート製橋脚１の側面５に上記補強縦筋３と補強横筋１３を覆う補強コンクリート８を増し打ちし、該補強コンクリート８の一部を上記裏込め空間１６内に充填する。
【００３３】
以上によって、図８，図９に示すコンクリート製橋脚１の補強構造が形成される。同図において１７は補強前に橋脚１内（橋脚コンクリート内）に配筋埋設された鉄筋を示し、１８は補強前にフーチング２内に配筋埋設された鉄筋を示す。
【００３４】
上記橋脚１は縦溝９内に配筋された補強縦筋３と補強横筋１３によって強化された補強コンクリート８層が一体に被層された構造と、補強縦筋３の傾斜曲げ部４を傾斜孔１０に傾斜角度を以って埋設し、補強縦筋３の引き抜き強度を増強した構造により、コンクリート巻き立て工法による補強強度を向上するものである。
【００３５】
又削岩機を斜めにしてドリルを上記入隅角部７内へ差し入れ傾斜孔１０を削孔することができる。従って従来のようにドリル（削岩機）と橋脚側面５との干渉を避けるため、縦溝９の幅を必要以上に幅広に削らねばならない問題、これによって縦溝９の削成本数と縦筋３の配筋本数が制限される問題を解消する。
【００３６】
延いては外形が大なるドリル駆動操作部の軸線上にドリルが延びる削岩機の使用が可能である。
【００３７】
又削岩機との干渉を避けるために縦溝９の溝幅Ｗを幅広にする必要がなく、縦溝９の溝幅Ｗを補強縦筋３の配筋に必要な幅に縮小でき、削り作業の手間と工費を軽減することができる。
【００３８】
本発明は橋脚１の側面５をショットブラストやウォータージェットにより粗面にし、該粗面にした側面５に上記縦溝９を施すか、又は縦溝９を削成した後、上記ショットブラストやウォータージェットにより粗面にし、上記補強方法並びに補強構造を実施する場合を含む。
【００３９】
ショットブラストやウォータージェット、特にウォータージェットにより橋脚側面５を粗面にすることにより橋脚１の脆化した表面層を一定の厚みで削面除去し、補強コンクリート８との活性な結合を促すことができる。
【００４０】
上記補強コンクリート８として、ポルトランドセメントと砂とポリマー樹脂の混練物内に補強樹脂繊維（ポリエチレン繊維又は／及びビニロン繊維）を１０〜６０ｋｇ程度配合し混練した補強樹脂繊維入りポリマーセメントモルタルを用い、該補強樹脂繊維入りポリマーセメントモルタルを橋脚１の周囲側面５に塗布して上記補強縦筋３と補強横筋１３を該ポリマーセメントモルタル内に埋設すると共に、裏込め空間１６内に充填する。補強樹脂繊維は縦溝９内において補強縦筋３と絡み合いを生ずると共に、補強横筋１３と絡み合いを生じ補強コンクリート８による補強強度を向上する。
【００４１】
上記補強樹脂繊維入りポリマーセメントモルタルで形成した補強コンクリート８層は地震等の外的衝撃に対して内部に達する大きなひび割れを生成せず、表面に微細なひび割れを無数に発生して衝撃を吸収する作用を発揮する。
【００４２】
又補強樹脂繊維と補強縦筋３及び補強横筋１３とが協働して極めて高い耐力を有する補強コンクリート壁を外被として構成することができる。
【図面の簡単な説明】
【００４３】
【図１】コンクリート製橋脚に縦切りを形成した状態を説明する横断面図。
【図２】上記縦切りに従い縦溝を削成した状態を説明する横断面図。
【図３】上記縦溝下端に連通する傾斜孔を削孔した状態を説明する縦断面図。
【図４】上記縦溝内へ補強縦筋を配筋した状態を説明する横断面図。
【図５】上記縦溝内へ補強縦筋を配筋し該補強縦筋に形成した傾斜曲げ部をフーチングに形成した傾斜孔内に埋設した状態を説明する縦断面図。
【図６】上記傾斜孔内に傾斜曲げ部を食い込み角を以って挿入し接着した状態を示す要部拡大縦断面図。
【図７】上記補強縦筋と補強横筋を配筋したコンクリート製橋脚に補強コンクリートを施した状態を示す横断面図。
【図８】コンクリート製橋脚の補強構造の縦断面図。
【図９】コンクリート製橋脚の補強構造の横断面図。
【符号の説明】
【００４４】
１…コンクリート製橋脚、２…コンクリート製フーチング、３…補強縦筋、４…傾斜曲げ部、５…コンクリート製橋脚の側面、６…コンクリート製フーチングの上面、７…入隅角部、８…補強コンクリート、９…縦溝、１０…傾斜孔、１１…接着剤、１２…橋座面、１３…補強横筋、１４…フーチングの張り出し部、１５…縦切り、１６…裏込め空間、１７，１８…鉄筋、α…傾斜曲げ部のフーチング内への食い込み角、Ｗ…縦溝の幅、Ｄ…同深さ、Ｌ…傾斜曲げ部の挿入長。
【図１】
2010150894.tif 000003
【図２】
2010150894.tif 000004
【図３】
2010150894.tif 000005
【図４】
2010150894.tif 000006
【図５】
2010150894.tif 000007
【図６】
2010150894.tif 000008
【図７】
2010150894.tif 000009
【図８】
2010150894.tif 000010
【図９】
2010150894.tif 000011